(57)【要約】      （修正有）【課題】優れた通気性を有するとともに経済的にも有利なブーツスタンドを提供する。【解決手段】板状部材の上下に亘って形成されるとともに板状部材の幅方向に列状に配設された複数の折曲部２２を介して板状部材を多角筒形状に折り曲げてブーツＢの筒脚部Ｂ１内に挿入される本体部２０と、板状部材に形成され本体部２０の多角筒形状を保持する本体保持部と、板状部材の下端部に形成され、本体部２０をブーツＢの筒脚部Ｂ１内に挿入した際にブーツＢのつま先Ｂ２方向に開口する通気用切欠部４０とを有することを特徴とする。【選択図】図４
0003155556.tif 000002
【実用新案登録請求の範囲】
【請求項１】
板状部材の上下に亘って形成されるとともに前記板状部材の幅方向に列状に配設された複数の折曲部を介して前記板状部材を多角筒形状に折り曲げてブーツの筒脚部内に挿入される本体部と、
前記板状部材に形成され前記本体部の多角筒形状を保持する本体保持部と、
前記板状部材の下端部に形成され、前記本体部を前記ブーツの筒脚部内に挿入した際に前記ブーツのつま先方向に開口する通気用切欠部
とを有することを特徴とするブーツスタンド。
【請求項２】
前記板状部材が厚紙または段ボールからなる請求項１に記載のブーツスタンド。
【請求項３】
前記本体保持部が、前記板状部材の一側側部に形成された突片部と、該突片部が係合可能に前記板状部材内に形成された係合溝部とからなる請求項１又は２に記載のブーツスタンド。
【請求項４】
前記係合溝部が前記板状部材の幅方向に複数形成され、前記板状部材の折り曲げ時に前記突片部を前記複数の係合溝部のいずれかと係合させることにより前記本体部の筒太さを変更可能とした請求項３に記載のブーツスタンド。
【請求項５】
前記本体部に対して筒太さが異なる他の本体部を重ねて前記ブーツの筒脚部内に挿入される請求項４に記載のブーツスタンド。
【請求項６】
前記板状部材に前記本体部の上部を全周に亘って切り取り可能とするための切取部が形成された請求項１ないし５のいずれか１項に記載のブーツスタンド。
【請求項７】
前記本体部が脱臭剤または芳香剤とともに前記ブーツの筒脚部内に挿入される請求項１ないし６のいずれか１項に記載のブーツスタンド。
【請求項８】
前記板状部材の裏面側に吸湿シートが積層されている請求項１ないし７のいずれか１項に記載のブーツスタンド。
【考案の詳細な説明】
【技術分野】
【０００１】
本考案は、ブーツの筒脚部を保形するためのブーツスタンドに関する。
【背景技術】
【０００２】
近年、女性の間では、ロングブーツ等の筒脚部の丈（筒丈）が長い各種ブーツが好んで着用されている。これらブーツは、着用時の履き心地や歩きやすさ等のために筒脚部が比較的柔らかく形成されている。そのため、ブーツを着用せずに玄関先等に置いたり、下駄箱等に長期間収納したりする場合等には、筒脚部が折れ曲がってしわや傷等が生じてしまい、ブーツが傷みやすくなる等の問題があった。
【０００３】
そこで、ブーツの非着用時には、内部に綿が詰められた円柱部材をブーツの筒脚部内に挿入することによって筒脚部の折れ曲がりを防止して保形するブーツスタンドが使用される（例えば、特許文献１参照。）。また、このようなブーツスタンドでは、円柱部材内部に脱臭剤や吸水剤を収容することにより、ブーツ内の脱臭や除湿を行うことができる（例えば、特許文献２参照。）。
【０００４】
しかしながら、上記ブーツスタンドにあっては、内部に綿が詰められた円柱部材を筒脚部内に挿入して筒脚部を保形する構成であるため、円柱部材の挿入時には筒脚部内にほとんど隙間ができない。そのため、通気性が悪化して脱臭剤や吸水剤を用いても十分な効果を得ることができなかった。また、従来のブーツスタンドは、部品点数が多く製造工程が煩雑でコストも高くつくため、販売価格にも影響を及ぼし、製造者や購入者にとって経済的に不利であった。
【先行技術文献】
【特許文献】
【０００５】
【特許文献１】特開２００５−６９１５号公報
【特許文献２】実用新案登録第３１３１４９８号公報
【考案の概要】
【考案が解決しようとする課題】
【０００６】
本考案は前記の点に鑑みなされたものであり、優れた通気性を有するとともに経済的にも有利なブーツスタンドを提供するものである。
【課題を解決するための手段】
【０００７】
すなわち、請求項１の考案は、板状部材の上下に亘って形成されるとともに前記板状部材の幅方向に列状に配設された複数の折曲部を介して前記板状部材を多角筒形状に折り曲げてブーツの筒脚部内に挿入される本体部と、前記板状部材に形成され前記本体部の多角筒形状を保持する本体保持部と、前記板状部材の下端部に形成され、前記本体部を前記ブーツの筒脚部内に挿入した際に前記ブーツのつま先方向に開口する通気用切欠部とを有することを特徴とするブーツスタンドに係る。
【０００８】
請求項２の考案は、前記板状部材が厚紙または段ボールからなる請求項１に記載のブーツスタンドに係る。
【０００９】
請求項３の考案は、前記本体保持部が、前記板状部材の一側側部に形成された突片部と、該突片部が係合可能に前記板状部材内に形成された係合溝部とからなる請求項１又は２に記載のブーツスタンドに係る。
【００１０】
請求項４の考案は、前記係合溝部が前記板状部材の幅方向に複数形成され、前記板状部材の折り曲げ時に前記突片部を前記複数の係合溝部のいずれかと係合させることにより前記本体部の筒太さを変更可能とした請求項３に記載のブーツスタンドに係る。
【００１１】
請求項５の考案は、前記本体部に対して筒太さが異なる他の本体部を重ねて前記ブーツの筒脚部内に挿入される請求項４に記載のブーツスタンドに係る。
【００１２】
請求項６の考案は、前記板状部材に前記本体部の上部を全周に亘って切り取り可能とするための切取部が形成された請求項１ないし５のいずれか１項に記載のブーツスタンドに係る。
【００１３】
請求項７の考案は、前記本体部が脱臭剤または芳香剤とともに前記ブーツの筒脚部内に挿入される請求項１ないし６のいずれか１項に記載のブーツスタンドに係る。
【００１４】
請求項８の考案は、前記板状部材の裏面側に吸湿シートが積層されている請求項１ないし７のいずれか１項に記載のブーツスタンドに係る。
【考案の効果】
【００１５】
請求項１の考案に係るブーツスタンドは、板状部材の上下に亘って形成されるとともに前記板状部材の幅方向に列状に配設された複数の折曲部を介して前記板状部材を多角筒形状に折り曲げてブーツの筒脚部内に挿入される本体部と、前記板状部材に形成され前記本体部の多角筒形状を保持する本体保持部と、前記板状部材の下端部に形成され、前記本体部を前記ブーツの筒脚部内に挿入した際に前記ブーツのつま先方向に開口する通気用切欠部とを有するため、部品点数が少なく容易に製造可能で経済的に有利となり、通気性にも優れる。
【００１６】
請求項２の考案は、請求項１において、前記板状部材が厚紙または段ボールからなるため、吸湿効果を得ることができるとともに保形力を低下させずに本体部を軽量化することができ、コストを大幅に低減することができて経済的にも有利である。
【００１７】
請求項３の考案は、請求項１又は２において、前記本体保持部が、前記板状部材の一側側部に形成された突片部と、該突片部が係合可能に前記板状部材内に形成された係合溝部とからなるため、簡易な構成で容易に形状を保持することが可能となる。
【００１８】
請求項４の考案は、請求項３において、前記係合溝部が前記板状部材の幅方向に複数形成され、前記板状部材の折り曲げ時に前記突片部を前記複数の係合溝部のいずれかと係合させることにより前記本体部の筒太さを変更可能としたため、本体部の筒太さをブーツの筒脚部の太さに容易に対応させることができる。
【００１９】
請求項５の考案は、請求項４において、前記本体部に対して筒太さが異なる他の本体部を重ねて前記ブーツの筒脚部内に挿入されるため、筒丈が通常よりも長いブーツにも好適に使用することができる。
【００２０】
請求項６の考案は、請求項１ないし５において、前記板状部材に前記本体部の上部を全周に亘って切り取り可能とするための切取部が形成されたため、ロングブーツ等の筒丈が長いブーツの他に筒丈が短いブーツにも好適に用いることが可能となる。
【００２１】
請求項７の考案は、請求項１ないし６において、前記本体部が脱臭剤または芳香剤とともに前記ブーツの筒脚部内に挿入されるため、脱臭効果または芳香効果を簡易に付与することができる。
【００２２】
請求項８の考案は、請求項１ないし７において、前記板状部材の裏面側に吸湿シートが積層されているため、吸湿効果をより向上させることができる。
【図面の簡単な説明】
【００２３】
【図１】本考案の一実施例に係るブーツスタンドの斜視図である。
【図２】板状部材の展開図である。
【図３】ブーツスタンドの使用例を表す斜視図である。
【図４】図３の断面図である。
【図５】ブーツスタンドの他の使用例を表す斜視図である。
【考案を実施するための形態】
【００２４】
図１〜図３に示す本考案の一実施例に係るブーツスタンド１０は、本体部２０と、本体保持部３０と、通気用切欠部４０とを有する。図において、符号Ｂはロングブーツ等の筒丈が長い公知のブーツ、Ｂ１はブーツＢの筒脚部、Ｂ２はブーツのつま先である。
【００２５】
本体部２０は、板状部材２１を多角筒形状に折り曲げてブーツＢの筒脚部Ｂ１内に挿入されて筒脚部Ｂ１を保形するように構成される。本体部２０を構成する板状部材２１の材質としては、プラスチック製や紙製等適宜とすることができるが、厚紙または段ボールであることが好ましい。板状部材２１を厚紙または段ボールとすることにより、吸湿効果を得ることができるとともに、本体部２０の保形力を低下させずに軽量化が可能で取り扱いしやすくなる。加えて、材料費を削減することができて従来公知の裁断加工により容易に形成することができるので、製造コストを大幅に低減させることができ、経済的に有利である。
【００２６】
板状部材２１は、図２に示すように、上下に亘って形成されるとともに幅方向に列状に配設された複数の折曲部２２を有し、該複数の折曲部２２を介して折り曲げられることによって多角筒形状の本体部２０を形成する。実施例の板状部材２１は、本体部２０を構成する際に角錐台状となるように両側部がテーパ状とされる。また、板状部材２１の上端部は、複数の折曲部２２位置がそれぞれ谷部となるように円弧状に形成されている。
【００２７】
複数の折曲部２２は、板状部材２１を折り曲げ可能とするものであれば特に限定されるものではなく、ミシン目や切れ込み等適宜である。この複数の折曲部２２は、それぞれ等間隔で配設されるとともに、本体部２０を角錐台状の多角筒形状に折り曲げ可能とするために上端側の間隔が下端側の間隔より広くなるように形成されている。実施例の折曲部２２は列状に８本形成されている。
【００２８】
また、板状部材２１には、本体部２０の上部を全周に亘って切り取り可能とするための切取部２３が形成される。切取部２３としては、本体部２０上部が切り取り可能となるのであれば特に限定されるものではなく、ミシン目や切れ込み等適宜である。このように、板状部材２１に切取部２３を形成することにより、本体部２０の高さを容易に低くすることができるので、ロングブーツ等の筒丈が長いブーツの他に筒丈が短いブーツにも好適に用いることが可能となる。
【００２９】
本体保持部３０は、図２に示すように、板状部材２１に形成され、本体部２０の多角筒形状を保持するように構成される。本体保持部３０としては、折り曲げられた本体部２０の形状を保持することが可能であれば、形状等は特に限定されない。実施例の本体保持部３０は、板状部材２１の一側側部に形成された突片部３１と、該突片部３１が係合可能に板状部材２１内に形成された係合溝部３２とからなる。これにより、簡易な構成で容易に形状を保持することが可能となる。
【００３０】
また、特に、係合溝部３２を板状部材２１の幅方向に複数形成（３２ａ，３２ｂ）し、板状部材２１の折り曲げ時に突片部３１を複数の係合溝部３２ａ，３２ｂのいずれかと係合させることにより本体部２０の筒太さを変更可能とすることが好ましい。これにより、本体部２０の筒太さをブーツＢの筒脚部Ｂ１の太さに容易に対応させることができる。なお、係合溝部３２は、本体部２０の多角筒形状を効果的に保持するために、突片部３１と略同一高さの板状部材２１内の折曲部２２位置に形成される。
【００３１】
通気用切欠部４０は、板状部材２１の下端部に形成され、本体部２０をブーツＢの筒脚部Ｂ１内に挿入した際にブーツＢのつま先Ｂ２方向に開口される。通気用切欠部４０としては、本体部２０の挿入時にブーツＢのつま先Ｂ２方向に十分な開口部が形成可能であれば大きさや形状は特に限定されない。実施例では円弧状に形成される。この通気用切欠部４０を有することにより、本体部２０の挿入時でもブーツＢ内部がつま先Ｂ２側から筒脚部Ｂの開口部分側まで連通し、十分な通気性を得ることができる。
【００３２】
本考案のブーツスタンド１０にあっては、図４に示すように、本体部２０を脱臭剤５０または芳香剤５５とともにブーツＢの筒脚部Ｂ１内に挿入することが好ましい。脱臭剤５０としては竹炭等の活性炭、芳香剤５５としてはアロマオイルや芳香ビーズ等を好適に用いることができる。これら脱臭剤５０または芳香剤５５は、ブーツＢ内部の汚れ防止のために不織布等からなる包装袋に収容して用いるとよい。また、板状部材２１を紙製とする場合、アロマオイルを板状部材２１に浸透させることもできる。このように、本体部２０とともに脱臭剤５０または芳香剤５５をブーツＢの筒脚部Ｂ１内に挿入れば、脱臭効果または芳香効果を簡易に付与することができる。
【００３３】
また、図示しないが、本考案のブーツスタンド１０では、吸湿効果を向上させるために、板状部材２１の裏面側に吸湿シートを積層してもよい。吸湿シートとしては、公知の不織布等を適宜用いることができる。
【００３４】
次に、本考案のブーツスタンド１０の使用例について説明する。まず、板状部材２１が複数の折曲部２２を介して八角形の筒形状に折り曲げられた本体部２０が形成され、板状部材２１の一側側部に形成された突片部３１を係合溝部３２（３２ａ）に係合させて本体部２０の形状が保持される。
【００３５】
次いで、本体部２０の下端部に開口した通気用切欠部４０がブーツＢのつま先Ｂ２方向に向られた状態でブーツＢの筒脚部Ｂ１内に前記本体部２０が挿入される。これにより、ブーツＢ内部の通気性を確保しつつ筒脚部Ｂ１を保形することができる。なお、本体部２０の挿入時には、必要に応じて脱臭剤５０または芳香剤５５を筒脚部Ｂ１内に挿入してもよい。
【００３６】
また、ハーフブーツ等の筒丈が短いブーツに対して本考案のブーツスタンド１０を用いる場合は、あらかじめ切取部２３を介して板状部材２１の上部を切り取り、同様の手順で板状部材２１を折り曲げ本体部２０を形成して、ブーツの筒脚部内に挿入すればよい。
【００３７】
さらに、ニーハイブーツのように筒丈が通常よりも長い場合は、図５に示すように、一の本体部２０に対して筒太さが異なる他の本体部２０Ａを重ねてブーツの筒脚部内に挿入される。すなわち、一の本体部２０は、板状部材２１が複数の折曲部２２を介して八角形の筒形状に折り曲げられて形成され、突片部３１を係合溝部３２ａに係合させて形状が保持される。一方、他の本体部２０Ａは、板状部材２１が複数の折曲部２２を介して前記一の本体部２０より筒太さが細くなる七角形の筒形状に折り曲げられて形成され、突片部３１を係合溝部３２ｂに係合させて形状が保持される。そして、筒太さが細い他の本体部２０Ａを下側として一の本体部２０と重ね合わせることにより、ブーツスタンドの高さを単体の本体部よりも十分高く形成することができる。これにより、筒丈が通常よりも長いブーツにも好適に使用することができる。
【００３８】
以上図示し説明したように、本考案のブーツスタンド１０は、複数の折曲部２２を介して板状部材２１を多角筒形状に折り曲げて形成された本体部２０と、本体部２０の多角筒形状を保持する本体保持部３０と、挿入時にブーツＢのつま先方向に開口する通気用切欠部４０からなるため、部品点数が極めて少なく容易に製造することが可能となり、製造コストを大幅に低減することができる。
【００３９】
また、ブーツＢの筒脚部Ｂ１内に多角筒形状の本体部２０が挿入されるため、極めて簡易な構成で筒脚部Ｂ１を保形することができ、特に、通気用切欠部４０を有することにより、本体部２０の挿入時であってもブーツＢ内部の通気性を効果的に確保することができる。
【００４０】
さらに、板状部材２１を厚紙または段ボールとすれば、製造コストを大幅に低減させることができるばかりでなく、吸湿効果を得ることができるとともに保形力を低下させずに本体部２０を軽量化することができ、あわせて脱臭剤５０または芳香剤５５を用いたり板状部材２１裏面に吸湿シートを積層したりすることにより、脱臭効果や方向効果の付与の他、吸湿効果を向上させることも可能となる。
【００４１】
加えて、本体保持部３０を突片部３１と複数の係合溝部３２（３２ａ，３２ｂ）としたり、板状部材２１に切取部２３を形成したりする他、一の本体部２０に対して筒太さが異なる他の本体部２０Ａを重ねることにより、本体部２０の筒太さや高さが変更可能となるため、ブーツＢのサイズや種類に容易に対応させて使用することが可能となる。
【００４２】
なお、本考案のブーツスタンドは、前述の実施例のみに限定されるものではなく、考案の趣旨を逸脱しない範囲において構成の一部を適宜に変更して実施することができる。例えば、実施例では本体保持部の複数の係合溝部を２つとしたが、これに限らず、必要に応じて３つ以上形成してもよい。
【００４３】
また、実施例の本体部では、多角筒形状を八角形の筒形状としたが、これに限らず六角形等の八角形以下の多角筒形状としたり、十二角形等の八角形以上の多角形状としたりする等、適宜に実施することができる。本体部を八角形以下とする場合は、本体保持部の複数の係合溝部を増やすか、または、折曲部の数を減らして構成すればよい。一方、八角形以上とする場合は、折曲部の数を増やして構成すればよい。
【符号の説明】
【００４４】
１０    ブーツスタンド
２０    本体部
２１    板状部材
２２    折曲部
３０    本体保持部
４０    通気用切欠部
５０    脱臭剤
５５    芳香剤
Ｂ      ブーツ
Ｂ１    筒脚部
Ｂ２    つま先
【図１】
0003155556.tif 000003
【図２】
0003155556.tif 000004
【図３】
0003155556.tif 000005
【図４】
0003155556.tif 000006
【図５】
0003155556.tif 000007